(57)【特許請求の範囲】
【請求項１】
水栓本体と、
前記水栓本体を操作する操作装置と、を備え、
前記操作装置は、操作装置本体と、ユーザからの操作を受ける操作部と、を含み、
前記操作部は、操作部本体と、前記操作部本体内に収容される、前記操作部本体を前記操作装置本体に取り付けるための係止具と、を含み、
前記操作部本体には、前記係止具の取外し方向と平行な面に開口が設けられていることを特徴とする水栓装置。
【請求項２】
前記開口は、前記取外し方向と平行な面と前記取外し方向と交差する面とに跨るように設けられることを特徴とする請求項１に記載の水栓装置。
【請求項３】
前記操作部は、前記開口を塞ぐカバーを含むことを特徴とする請求項１または２に記載の水栓装置。
【請求項４】
前記操作部は、操作装置本体の側面に取り付けられることを特徴とする請求項１から３のいずれかに記載の水栓装置。
【請求項５】
水栓本体を操作する操作装置の操作部の取り外し方法であって、
前記操作部は、操作部本体と、前記操作部本体内に収容される、前記操作部本体を前記操作装置の本体に取り付けるための係止具と、を含み、
前記操作部本体には、前記係止具の取外し方向と平行な面に開口が設けられており、
本取り外し方法は、
前記取外し方向に交差するよう前記開口内に工具を差し込んで前記係止具を外す工程と、
前記操作装置の本体から前記操作部本体を取り外す工程と、
を含むことを特徴とする操作部の取り外し方法。
【発明の詳細な説明】
【技術分野】
【０００１】
本発明は、操作部、水栓装置および操作部の取り外し方法に関する。
【背景技術】
【０００２】
浴室ユニット等に設置される水栓装置が知られている。水栓装置は、一般に、操作部を操作することによって吐出される水の温度を調節しうる。操作部は、通常、係止具によって水栓装置に取り付けられる（例えば特許文献１）。
【先行技術文献】
【特許文献】
【０００３】
【特許文献１】特開２０１３−０６４２６１号公報
【発明の概要】
【発明が解決しようとする課題】
【０００４】
メンテナンスのために操作部を水栓装置から取り外すことがある。特許文献１に記載されるような水栓装置では、操作部の取外し方向から工具を差し込んで係止具を取り外すため、操作部の取外し方向に、工具を使用するためのスペースが必要となる。そのため、例えば水栓装置の側面に操作部を設ける場合、浴室の壁や浴槽、または手すりや収納棚等の設置部材との関係で、水栓装置の設置位置が制限される。
【０００５】
このような課題は温度調節操作部に限らず、他の操作部でも起こりうる。
【０００６】
本発明はこうした状況に鑑みてなされたものであり、その目的は、設置位置の自由度を向上しうる水栓装置を提供することにある。
【課題を解決するための手段】
【０００７】
上記課題を解決するために、本発明のある態様の水栓装置は、水栓本体と、水栓本体を操作する操作装置と、を備える。操作装置は、操作装置本体と、ユーザからの操作を受ける操作部と、を含む。操作部は、操作部本体と、操作部本体内に収容される、操作部本体を操作装置本体に取り付けるための係止具と、を含む。操作部本体には、その取外し方向と平行な面に開口が設けられている。
【０００８】
この態様によると、操作部の取外し方向に交差する方向から工具を差し入れて係止具を取り外すことが可能となる。そのため、操作部の取外し方向に工具を使用するためのスペースを確保する必要がなくなる。あるいは、工具を使用するために確保すべきスペースが少なくて済む。
【０００９】
開口は、取外し方向と平行な面と取外し方向と交差する面とに跨るように設けられてもよい。この場合、係止具を取り外すときの作業性が向上する。
【００１０】
操作部は、開口を塞ぐカバーを含んでもよい。この場合、操作部本体の内部が視認されなくなるため、操作部ひいては水栓装置の見栄えが向上する。
【００１１】
操作部は、操作装置本体の側面に取り付けられてもよい。この場合、水栓装置の設置位置の自由度が向上する。
【００１２】
本発明の別の態様は、操作部である。この操作部は、水栓本体を操作する操作装置の操作部であって、側面に開口が設けられた操作部本体と、操作部本体内に収容される、操作部本体を操作装置の本体に取り付けるための係止具と、備える。
【００１３】
この態様によると、操作部の側面から工具を差し入れて係止具を取り外すことが可能となるため、操作部の正面側に工具を使用するためのスペースが不要となる。あるいは、工具を使用するためのスペースが少なくて済む。
【００１４】
本発明のさらに別の態様は、操作部の取り外し方法である。この方法は、水栓本体を操作する操作装置の操作部の取り外し方法であって、操作部は、操作部本体と、操作部本体内に収容される、操作部本体を操作装置の本体に取り付けるための係止具と、を含む。操作部本体には、その取外し方向と平行な面に開口が設けられており、本取り外し方法は、取外し方向に交差するよう開口内に工具を差し込んで係止具を外す工程と、操作装置の本体から操作部本体を取り外す工程と、を含む。
【００１５】
この態様によると、操作部の取外し方向に工具を使用するためのスペースを確保する必要がなくなる。あるいは、工具を使用するために確保すべきスペースが少なくて済む。
【００１６】
なお、以上の構成要素の任意の組み合わせや、本発明の構成要素や表現を方法、装置、システムなどの間で相互に置換したものもまた、本発明の態様として有効である。
【発明の効果】
【００１７】
本発明によれば、水栓装置の設置位置の自由度を向上しうる水栓装置を提供できる。
【図面の簡単な説明】
【００１８】
【図１】実施の形態に係る浴室ユニットを示す斜視図である。
【図２】図１の水栓装置の構成を示すブロック図である。
【図３】図１の水栓装置を示す斜視図である。
【図４】図１の水栓装置を示す正面図である。
【図５】図１の水栓装置を示す側面図である。
【図６】温度調節操作部を示す分解斜視図である。
【図７】図５のＡ−Ａ線断面図である。
【図８】図８（ａ）〜（ｃ）は、温度調節操作部を取り外す様子を示す図である。
【図９】実施の形態の変形例に係る浴室ユニットを示す斜視図である。
【発明を実施するための形態】
【００１９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００２０】
図１は、実施の形態に係る浴室ユニット１０を示す斜視図である。浴室ユニット１０は、浴槽１２と、洗い場１４と、壁１６と、カウンター１７と、水栓装置１８と、鏡１９と、シャワーフック２０と、スライドバー２１と、シャワーヘッド２２と、シャワーホース２４と、カラン（図１では不図示）と、２つの収納棚２５と、を備える。
【００２１】
浴槽１２は、防水パン（不図示）上に設置される。洗い場１４は、浴槽１２に隣接して設けられる。壁１６は、浴槽１２および洗い場１４を取り囲む。壁１６は、洗い場１４を隔てて浴槽１２と対向する第１壁１６ａと、浴槽１２および洗い場１４を挟んで第１壁１６ａと対向する第２壁１６ｂと、第１壁１６ａの一端側と第２壁１６ｂの一端側とに接続される第３壁１６ｃと、第３壁１６ｃと対向する、浴室ドアが設けられる第４壁（不図示）と、を含む。
【００２２】
カウンター１７は、第３壁１６ｃの洗い場１４側に固定される。カウンター１７は、シャンプーボトル、ボディソープボトル、その他の小物などを置くための物置台として機能する。鏡１９は、縦長に形成され、カウンター１７の上方で第３壁１６ｃに固定される。２つの収納棚２５は、ユーザが立ったときに必要な小物を取り出せる高さで第３壁１６ｃに固定される。
【００２３】
水栓装置１８は、カウンター１７と鏡１９との間において第３壁１６ｃに固定される。水栓装置１８には、一端側にシャワーヘッド２２が設けられたシャワーホース２４とカランとが接続され、これらに水（温水または冷水）を吐出する。シャワーフック２０は、浴槽１２と水栓装置１８との間において第３壁１６ｃに固定される。実施の形態では、シャワーフック２０は、スライドバー２１を介して第３壁１６ｃに固定される。シャワーフック２０にはシャワーヘッド２２が掛止される。
【００２４】
図２は、水栓装置１８の構成を示すブロック図である。水栓装置１８は、水栓本体２８と、水栓本体２８を操作する操作装置３０と、を含む。水栓本体２８は、給水流路３２と、給湯流路３４と、湯水混合部３６と、第１吐出流路３８と、第１流量調節部４０と、第１吐出口４２と、第２吐出流路４４と、第２流量調節部４６と、第２吐出口４８と、を備える。
【００２５】
給水流路３２は、上水道（不図示）に接続され、水（冷水）を湯水混合部３６に供給する。給湯流路３４は、給湯器（不図示）に接続され、給湯器で温められた水（湯水）を湯水混合部３６に供給する。湯水混合部３６は、給水流路３２と給湯流路３４に接続される。湯水混合部３６は、給水流路３２から供給される水（冷水）と給湯流路３４から供給される水（湯水）とを、操作装置３０によって設定された比率で混合する。
【００２６】
第１吐出流路３８は、一端が湯水混合部３６に接続され、他端（第１吐出口４２側）がカラン２６に接続される。第１流量調節部４０は、第１吐出流路３８上に設けられ、例えばパイロット弁を含んで構成される。第１流量調節部４０は、操作装置３０に操作されて、第１吐出流路３８を開閉する。また第１流量調節部４０は、第１吐出流路３８を流れる水の流量を、操作装置３０によって設定された流量に調節する。第１吐出流路３８が開くと、湯水混合部３６で混合された水であって設定された流量の水が第１吐出流路３８を流れ、第１吐出口４２から吐出する。第１吐出口４２から吐出した水は、カラン２６から吐出する。第１吐出流路３８が閉じると、第１吐出流路３８を水が流れなくなり、第１吐出口４２からの水の吐出が止まる。
【００２７】
第２吐出流路４４は、一端が湯水混合部３６に接続され、他端（第２吐出口４８側）がシャワーホース２４に接続される。第２流量調節部４６は第２吐出流路４４上に設けられ、例えばパイロット弁を含んで構成される。第２流量調節部４６は、操作装置３０に操作されて、第２吐出流路４４を開閉する。また第２流量調節部４６は、第２吐出流路４４を流れる水の流量を、操作装置３０によって設定された流量になるよう調節する。第２吐出流路４４が開くと、湯水混合部３６で混合された水であって設定された流量の水が第２吐出流路４４を流れ、第２吐出口４８から吐出する。第２吐出口４８から吐出した水は、シャワーホース２４を流れ、シャワーヘッド２２から吐出する。第２吐出流路４４が閉じると、第２吐出流路４４を水が流れなくなり、第２吐出口４８からの水の吐出が止まる。
【００２８】
操作装置３０は、温度調節操作部５０と、温度調節操作伝達部５２と、第１吐出操作部５４と、第１吐出操作伝達部５６と、第１流量調節操作部５８と、第１流量調節操作伝達部６０と、第２吐出操作部６２と、第２吐出操作伝達部６４と、第２流量調節操作部６６と、第２流量調節操作伝達部６８と、を備える。
【００２９】
温度調節操作部５０は、ユーザから温度調節の操作を受ける。温度調節操作伝達部５２は、温度調節操作部５０が受けた操作を機械的に湯水混合部３６に伝達する。湯水混合部３６は、この操作を受けて動作し、混合される冷水と湯水の比率を変更する。
【００３０】
第１吐出操作部５４は、ユーザから、第１吐出口４２（ひいてはカラン２６）からの吐出開始または吐出終了の操作を受ける。第１吐出操作伝達部５６は、第１吐出操作部５４が受けた操作を機械的に第１流量調節部４０に伝達する。第１流量調節部４０は、この操作を受けて動作し、第１吐出流路３８を開閉する。
【００３１】
第２吐出操作部６２は、ユーザから、第２吐出口４８（ひいてはシャワーヘッド２２）からの吐出開始または吐出終了の操作を受ける。第２吐出操作伝達部６４は、第２吐出操作部６２が受けた操作を機械的に第２流量調節部４６に伝達する。第２流量調節部４６は、この操作を受けて動作し、第２吐出流路４４を開閉する。
【００３２】
第１流量調節操作部５８は、ユーザから、第１吐出口４２（ひいてはカラン２６）から吐出されるべき水の流量調節の操作を受ける。第１流量調節操作伝達部６０は、第１流量調節操作部５８が受けた操作を機械的に第１流量調節部４０に伝達する。第１流量調節部４０は、この操作を受けて動作し、第１吐出口４２から吐出される水の流量が調節される。
【００３３】
第２流量調節操作部６６は、ユーザから、第２吐出口４８（ひいてはシャワーヘッド２２）から吐出されるべき水の流量調節の操作を受ける。第２流量調節操作伝達部６８は、その操作を機械的に第２流量調節部４６に伝達する。第２流量調節部４６は、この操作を受けて動作し、第２吐出口４８から吐出される水の流量が調節される。
【００３４】
図３〜５はそれぞれ、水栓装置１８を示す斜視図、正面図、側面図である。図５では、温度調節操作部５０が設けられる側の側面を示している。
【００３５】
操作装置３０は、筐体７０をさらに含む。水栓本体２８は、実施の形態では、この筐体７０内に収容される。筐体７０は箱状に形成される。筐体７０の上面７０ａは平坦に形成され、シャンプーのボトルやボディソープのボトルなどを置くためのカウンターとして機能する。
【００３６】
第１吐出操作部５４は、筐体７０の前面７０ｂに設けられる。第１吐出操作部５４は、実施の形態では、押しボタン式の操作部である。そのため、水や石鹸がついた手でも操作しやすい。ユーザによって第１吐出操作部５４が押されると、その操作が第１吐出操作伝達部５６を介して第１流量調節部４０に伝達され、第１吐出流路３８が開いて第１吐出口４２から水が吐出される。ユーザによって再度第１吐出操作部５４が押されると、その操作が第１吐出操作伝達部５６を介して第１流量調節部４０に伝達され、第１吐出流路３８が閉じて第１吐出口４２からの水の吐出が止まる。第２吐出操作部６２は、筐体７０の前面７０ｂに、第１吐出操作部５４に隣接して設けられる。第２吐出操作部６２は、第１吐出操作部５４と同様に構成される。
【００３７】
第１流量調節操作部５８は、筐体７０の前面７０ｂであって、第１吐出操作部５４の下方に設けられる。第１流量調節操作部５８は、実施の形態では、直線的（図４では左右方向）にスライドさせるスライド式の操作部である。そのため、例えば回転式の操作部と比べ、水や石鹸がついて手でも操作しやすい。第１流量調節操作部５８を右または左にスライドさせると、その操作が第１流量調節操作伝達部６０を介して第１流量調節部４０に伝達され、第１吐出流路３８を流れる水の流量が変化する。実施の形態では、第１流量調節操作部５８を右にスライドさせると流量が上がり、第１流量調節操作部５８を左にスライドさせると流量が下がるよう構成される。第２流量調節操作部６６は、筐体７０の前面７０ｂであって、第２吐出操作部６２の下方に設けられる。第２流量調節操作部６６は、第１流量調節操作部５８と同様に構成される。
【００３８】
温度調節操作部５０は、筐体７０の側面に設けられる。実施の形態では、温度調節操作部５０は、筐体７０の両側面７０ｃ、７０ｄのうち、浴槽１２およびシャワーフック２０の両方から遠い側（すなわち第１壁１６ａ側）の側面７０ｃに設けられる（図１参照）。温度調節操作部５０は、実施の形態では、軸部（不図示）周りに回転させる回転式の操作部である。温度調節操作部５０を時計周りまたは反時計回りに回転させると、その操作が温度調節操作伝達部５２を介して湯水混合部３６に伝達され、混合される冷水と湯水の比率が変化し、湯水混合部３６から第１吐出流路３８（ひいてはシャワーヘッド２２）あるいは第２吐出流路４４（ひいてはカラン２６）から吐出される水の温度が変化する。実施の形態では、温度調節操作部５０を右に回転させると温度が下がり、左に回転させると温度が上がる。
【００３９】
図６は、温度調節操作部５０を示す分解斜視図である。図７は、図５のＡ−Ａ線断面図である。図６、７に加えて図５を参照しながら温度調節操作部５０についてさらに詳細に説明する。温度調節操作部５０は、温度調節操作部本体８２と、係止具８４と、カバー８６と、を含む。
【００４０】
温度調節操作部本体８２は、基部９０と、把持部９２と、を含む。基部９０は、取外し方向Ｄから見て略円形状に形成される。ここで「取外し方向」とは、温度調節操作部５０を操作装置本体（例えば温度調節操作伝達部５２）から取り外す際に、後述するように係止具８４を引き出す方向を指す。実施の形態では、取外し方向Ｄは、筐体７０の幅方向（図４の左右方向）、すなわち側面７０ｃに略直交する方向を指す。
【００４１】
把持部９２は、取外し方向Ｄに略直交する方向に延在する箱状に形成され、基部９０と接続される。ユーザは、この把持部９２をつまんで温度調節操作部５０を回転操作する。基部９０は、把持部９２内を取外し方向Ｄに延在する円環部９４を有する。この円環部９４内には、温度調節操作伝達部５２の一部が進入する。
【００４２】
係止具８４は筒状の部材であり、把持部９２内に収容される。係止具８４は、円環部９４の外周側に差し込まれ、円環部９４を温度調節操作伝達部５２に対して押圧する。これにより、温度調節操作部５０が温度調節操作伝達部５２に対して係止される。
【００４３】
把持部９２は、その延在方向に略平行な第１側面９２ａおよび第２側面９２ｂと、その延在方向に略直交する第３側面９２ｃおよび第４側面９２ｄと、含む。取外し方向Ｄから見て把持部９２の正面側は、係止具８４の出し入れができるよう開口している（以下、この開口を「第１開口９６」と呼ぶ）。第３側面９２ｃには、略矩形状の第２開口９８が形成されている。この第２開口９８は、第１開口９６と繋がっている。つまり、把持部９２には、側面と正面とに跨るように開口が設けられている。カバー８６は、第１開口９６と第２開口９８とを塞ぐよう把持部９２に取り付けられる。
【００４４】
次に、メンテナンス等で温度調節操作部５０を取り外す際の、取り外し方法について説明する。  図８（ａ）〜（ｃ）は、温度調節操作部５０を取り外す様子を示す。図８（ａ）のごとく、温度調節操作部５０を時計周り方向または反時計回り方向に回し、カバー８６で塞がれた第２開口９８を前方に向ける。次に、図８（ｂ）のごとく、マイナスドライバーなどの工具Ｔを把持部９２とカバー８６との境界部分に差し込み、カバー８６を取り外す。特に、取外し方向Ｄに交差（例えば略直交）する方向（すなわち前後方向）に工具Ｔを差し込み、カバー８６を取り外す。すると、図８（ｃ）のごとく、第１開口９６および第２開口９８が開放される。
【００４５】
次に、図８（ｃ）のごとく、第２開口９８から把持部９２内に工具Ｔを差し込む。特に、取外し方向Ｄに交差（例えば略直交）する方向（すなわち前後方向）に工具Ｔを差し込む。そして、工具Ｔによって係止具８４を取外し方向Ｄに引き出す。次に、図８（ｄ）のごとく、温度調節操作部本体８２を取外し方向Ｄに引っ張って温度調節操作伝達部５２から取り外す。こうして温度調節操作部５０は操作装置３０から取り外される。
【００４６】
以上説明した実施の形態に係る水栓装置１８によると、取外し方向Ｄに交差する方向（すなわち前後方向）から把持部９２内に工具Ｔを差し入れて係止具８４を取り外すことが可能となる。そのため、実施頻度の低いメンテナンスに備えて、温度調節操作部５０の取外し方向Ｄ（すなわち筐体７０の幅方向）に工具Ｔを使用するためのスペースを確保する必要がなくなる。あるいは、工具Ｔを使用するために確保すべきスペースが少なくて済む。そのため、水栓装置１８の設置位置の自由度が向上する。これにより、例えば図１において、水栓装置１８を第１壁１６ａに近づけ、水栓装置１８と第１壁１６ａとの間のスペースを比較的少なくしても温度調節操作部５０を取り外すことができる。逆にいえば、水栓装置１８と第１壁１６ａとの間のスペースによらずに水栓装置１８の設置位置を決めることができる。また例えば、温度調節操作部５０が側面７０ｄに設けられる場合に、水栓装置１８を浴槽１２と同じ高さに設置し、水栓装置１８を浴槽１２に近づけ、水栓装置１８と浴槽１２との間のスペースを比較的少なくしても温度調節操作部５０を取り外すことができる。逆にいえば、水栓装置１８と浴槽１２との間のスペースによらずに水栓装置１８の設置位置を決めることができる。このように、実施の形態に係る水栓装置１８によると、メンテナンス性を確保しつつも、設置位置の自由度が向上する。
【００４７】
また、実施の形態に係る水栓装置１８によると、第１開口９６と第２開口９８とが繋がっている。この場合、第１開口９６と第２開口９８とが繋がっていない場合、すなわちそれらの間に障害物がある場合と比べ、工具Ｔを自由に動かすことができ、係止具８４を取り外すときの作業性が向上する。
【００４８】
また、実施の形態に係る水栓装置１８によると、カバー８６によって第１開口９６および第２開口９８が塞がれる。そのため、水栓装置１８の良好な見た目を維持できる。
【００４９】
以上、実施の形態に係る水栓装置について説明した。この実施の形態は例示であり、その各構成要素の組み合わせにいろいろな変形例が可能なこと、またそうした変形例も本発明の範囲にあることは当業者に理解されるところである。
【００５０】
（変形例１）
実施の形態では、略矩形状の第２開口９８が把持部９２の第３側面９２ｃに設けられる場合について説明したが、これに限られない。第２開口９８は、工具Ｔを差し込める開口であればよく、多角形状、円形状、その他の形状であってもよい。また、第２開口９８は、第１側面９２ａ、第２側面９２ｂまたは第４側面９２ｄに形成されてもよい。また、実施の形態では、第１開口９６と第２開口９８とが繋がっている場合について説明したが、これに限られず、第１開口９６と第２開口９８とは繋がっていなくてもよいし、第１開口９６を設けなくてもよい。
【００５１】
（変形例２）
実施の形態では、係止具８４とカバー８６とが別体である場合について説明したが、これに限られない。係止具８４とカバー８６とは一体であってもよい。この場合、係止具８４とカバー８６とは一体に形成されても、別々に形成してから結合されてもよい。
【００５２】
（変形例３）
実施の形態では、温度調節操作部本体８２は、取外し方向Ｄから見て略円形状の基部９０と箱状の把持部９２とで構成される場合について説明したが、これに限られない。温度調節操作部本体８２は、その取外し方向Ｄと平行な面に開口が設けられていればよく、様々な形状を採ることができる。例えば温度調節操作部本体８２は、略円筒状（すなわち取外し方向Ｄから見て全体が略円形状）に形成され、その側面に開口が設けられてもよい。
【００５３】
（変形例４）
実施の形態では、温度調節操作部５０に、係止具８４を取り外すための第２開口９８を設ける場合について説明したが、これに限られない。実施の形態の技術的思想は例えば第１吐出操作部５４、第２吐出操作部６２など、他の操作部にも適用できる。
【００５４】
（変形例５）
実施の形態では、温度調節操作部５０が筐体７０の側面、すなわち操作装置本体の側面に設けられる場合について説明したがこれに限られない。温度調節操作部５０は、筐体７０の前面や上面等、すなわち操作装置本体の前面や上面等に設けられてもよい。
【００５５】
（変形例６）
図９は、実施の形態の変形例に係る浴室ユニット１０を示す斜視図である。本変形例では、浴室ユニット１０は、水栓装置１８に代えて、カウンターと水栓装置とが一体となったカウンター一体型水栓装置１１８を備える。一般に、カウンター一体型水栓装置１１８は大型となることが多いため、浴室の壁や浴槽、または手すりや収納棚等の設置部材との関係で、温度調節操作部５０の取外し方向に工具を使用するためのスペースを設けにくくなる。したがって、実施の形態の技術的思想は、本変形例のようなカウンター一体型水栓装置１１８を採用する場合に特に有用である。
【００５６】
（変形例７）
実施の形態では、温度調節操作部５０が受けた操作を温度調節操作伝達部５２が湯水混合部３６に機械的に伝達する場合について説明したが、これに限られない。温度調節操作伝達部５２は、温度調節操作部５０が受けた操作を湯水混合部３６に電気的に伝達してもよい。この場合、湯水混合部３６は、電磁弁など、電気的駆動弁を含んで構成されてもよい。第１吐出操作伝達部５６、第１流量調節操作伝達部６０、第２吐出操作伝達部６４、第２流量調節操作伝達部６８も同様に、第１吐出操作部５４、第１流量調節操作部５８、第２吐出操作部６２、第２流量調節操作部６６が受けた操作を、電気的に伝達するよう構成されてもよい。
【００５７】
（変形例８）
実施の形態では、水栓本体２８が操作装置３０の筐体７０内に収容される場合について説明したが、これに限られず、水栓本体２８は操作装置３０の筐体７０外に設けられてもよい。また、水栓本体２８と操作装置３０が一体となっていてもよい。
【００５８】
（変形例９）
実施の形態では、水栓装置１８が浴室ユニット１０に配置される場合について説明したが、これに限られない。水栓装置１８は、キッチン、洗面所、その他に設置されてもよい。
【００５９】
（変形例１０）
実施の形態では、水栓装置１８は、２つの吐出口を備える場合について説明したが、これに限られない。水栓装置１８は、１つ、または、３つ以上の吐出口を備えてもよい。
【００６０】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。例えば請求項に記載の操作装置本体は、実施の形態に記載の各伝達部と筐体７０との組み合わせにより実現されてもよい。
【符号の説明】
【００６１】
１０  浴室ユニット、  １２  浴槽、  １８  水栓装置、  ２８  水栓本体、  ３０  操作装置、  ５０  温度調節操作部、  ５４  第１吐出操作部、  ５８  第１流量調節操作部、  ６２  第２吐出操作部、  ６６  第２流量調節操作部、  ７０  筐体、  ７０ｂ  前面、  ７０ｃ，７０ｄ  側面、  ８２  温度調節操作部本体、  ８４  係止具、  ８６  カバー、  ９０  基部、  ９２  把持部、  ９６  第１開口、  ９８  第２開口。
【図１】
0006449025.tif 000002
【図２】
0006449025.tif 000003
【図３】
0006449025.tif 000004
【図４】
0006449025.tif 000005
【図５】
0006449025.tif 000006
【図６】
0006449025.tif 000007
【図７】
0006449025.tif 000008
【図８】
0006449025.tif 000009
【図９】
0006449025.tif 000010